(57)【要約】      （修正有）【課題】図形を適切に変形できる図形データ処理装置を提供する。【解決手段】平面画像の内容と、平面画像の各部と地表上の位置との対応関係を規定する地理情報（Ｄ６）と、を含む地理情報付画像データ（Ｄ７）を記憶する画像データ記憶部（１２４）と、各部が地表上の位置に対応する図形を表す地図図形データ（Ｄ５）を記憶する地図図形データ記憶部（１４２）と、図形を指定する描画データ（Ｄ２）を記憶する描画データ記憶部（１２３）と、地理情報付画像データ（Ｄ７）と描画データ（Ｄ２）とを合成する画像合成部（１２２）と、地理情報（Ｄ６）に基づいて、地図図形データ（Ｄ５）を描画データ（Ｄ２）に変換する描画データ化処理部（１４５）と、を図形データ処理装置（１００）に設けた。【選択図】図２
2017125990.tif 000002
【特許請求の範囲】
【請求項１】
平面画像の内容と、前記平面画像の各部と地表上の位置との対応関係を規定する地理情報と、を含む地理情報付画像データを記憶する画像データ記憶部と、
各部が地表上の位置に対応する図形を表す地図図形データを記憶する地図図形データ記憶部と、
図形を指定する描画データを記憶する描画データ記憶部と、
前記地理情報付画像データと前記描画データとを合成し、表示用画像データを出力する画像合成部と、
前記地理情報に基づいて、前記地図図形データを前記描画データに変換する描画データ化処理部と、
を有することを特徴とする図形データ処理装置。
【請求項２】
前記地理情報に基づいて、前記描画データを前記地図図形データに変換する地図図形データ化処理部
をさらに有することを特徴とする請求項１に記載の図形データ処理装置。
【請求項３】
前記地理情報は、
前記平面画像の所定箇所と地表上の位置との対応関係を規定する所定箇所位置情報と、
前記平面画像の縮尺比と、
を有することを特徴とする請求項２に記載の図形データ処理装置。
【請求項４】
前記地理情報は、
前記平面画像の図法を表す図法情報
をさらに有することを特徴とする請求項３に記載の図形データ処理装置。
【請求項５】
平面画像の内容と、前記平面画像の各部と地表上の位置との対応関係を規定する地理情報と、を含む地理情報付画像データを記憶する画像データ記憶部と、
各部が地表上の位置に対応する図形を表す地図図形データを記憶する地図図形データ記憶部と、
図形を指定する描画データを記憶する描画データ記憶部と、
前記地理情報付画像データと前記描画データとを合成する画像合成部と、
前記地理情報に基づいて、前記地図図形データを前記描画データに変換する描画データ化処理部と、
前記表示用画像データを表示面に表示する表示装置と、
前記表示面に対するユーザの操作に基づいて、前記描画データを前記描画データ記憶手段に記憶させる描画データ入力部と、
を有することを特徴とする図形データ表示装置。
【請求項６】
コンピュータを、
平面画像の内容と、前記平面画像の各部と地表上の位置との対応関係を規定する地理情報と、を含む地理情報付画像データを記憶する画像データ記憶手段、
各部が地表上の位置に対応する図形を表す地図図形データを記憶する地図図形データ記憶手段、
図形を指定する描画データを記憶する描画データ記憶手段、
前記地理情報付画像データと前記描画データとを合成する画像合成手段、
前記地理情報に基づいて、前記地図図形データを前記描画データに変換する描画データ化処理手段、
として機能させるためのプログラム。
【発明の詳細な説明】
【技術分野】
【０００１】
本発明は、図形データ処理装置、図形データ表示装置およびプログラムに関する。
【背景技術】
【０００２】
様々な情報を表示面に表示させる表示装置、および該表示面に対してユーザが描いた図形を取得する入力装置の機能を備えた電子黒板装置が知られている。
例えば、下記特許文献１の段落００１３には、「電子黒板装置内部のスキャナから出力されるデジタル画像データを外部に対して出力することにより、むやみに紙の書類を増加させることが無く、携帯端末やパソコンなどにデジタルデータのままで転送できるので、再利用が可能となる。」と記載されている。
【先行技術文献】
【特許文献】
【０００３】
【特許文献１】特開平８−２２３３３１号公報
【発明の概要】
【発明が解決しようとする課題】
【０００４】
しかし、従来の電子黒板装置においては、表示面に例えば地図や航空写真等の画像を表示し、その表示面にユーザが図形を描いた際、描いた箇所の画像における地理情報（例えば緯度および経度）と、ユーザが描いた図形とは特に関連付けられていなかった。これにより、画像の属性、例えば地図の図法、縮尺比、または傾きの角度等を変更した際に、変更後の属性に応じて、描いた図形を適切に変形させることはできなかった。
この発明は上述した事情に鑑みてなされたものであり、図形を適切に変形させることができる図形データ処理装置、図形データ表示装置およびプログラムを提供することを目的とする。
【課題を解決するための手段】
【０００５】
上記課題を解決するため本発明の図形データ処理装置にあっては、平面画像の内容と、前記平面画像の各部と地表上の位置との対応関係を規定する地理情報と、を含む地理情報付画像データを記憶する画像データ記憶部と、各部が地表上の位置に対応する図形を表す地図図形データを記憶する地図図形データ記憶部と、図形を指定する描画データを記憶する描画データ記憶部と、前記地理情報付画像データと前記描画データとを合成する画像合成部と、前記地理情報に基づいて、前記地図図形データを前記描画データに変換する描画データ化処理部と、を有することを特徴とする。
【発明の効果】
【０００６】
本発明によれば、図形を適切に変形させることができる。
【図面の簡単な説明】
【０００７】
【図１】本発明の一実施形態の地図表示システムの正面図である。
【図２】一実施形態の地図表示システムのブロック図である。
【図３】スクリーンにおける画像の表示例を示す図である。
【図４】投影法コードの説明図である。
【図５】地理情報埋込処理ルーチンのフローチャートである。
【図６】地図図形データ作成処理ルーチンのフローチャートである。
【図７】描画データ作成処理ルーチンのフローチャートである。
【発明を実施するための形態】
【０００８】
［実施形態の構成］
まず、図１に示す正面図を参照し、本発明の一実施形態による地図表示システムＡの構成を説明する。
図１において、地図表示システムＡは、制御装置（図形データ処理装置）１００と、電子黒板装置２００とを有しており、両者は通信ケーブル１０６を介して接続されている。制御装置１００にはディスプレイ１０２が接続されている。ディスプレイ１０２は、制御装置１００から供給された地図画像データ（表示用画像データ）Ｄ１を表示する。電子黒板装置２００は、プロジェクタ型の電子黒板装置であり、スクリーン（表示面）２０１と、プロジェクタ２０２（表示装置）と、電子ペン２０３とを有している。
【０００９】
プロジェクタ２０２は、制御装置１００から供給された地図画像データＤ１をスクリーン２０１の表示面に投影する。ユーザが電子ペン２０３をスクリーン２０１の該表示面上で動かすと、電子ペン２０３の位置情報が制御装置１００に送信される。電子ペン２０３の軌跡は、図形１０７としてディスプレイ１０２に表示されるとともに、プロジェクタ２０２を介して、図形２０７としてスクリーン２０１に表示される。
【００１０】
次に、図２に示すブロック図を参照し、地図表示システムＡの詳細構成を説明する。
電子黒板装置２００において、センサ部２１２はスクリーン２０１に沿って設けられており、電子ペン２０３がスクリーン２０１に接触すると、電子ペン２０３の位置を検出する。通信部２１３は、この検出した位置を位置情報として制御装置１００に供給する。
【００１１】
制御装置１００は、ＣＰＵ（Central Processing Unit）、ＲＡＭ（Random Access Memory）、ＲＯＭ（Read Only Memory）、ＨＤＤ（Hard Disk Drive）等、一般的なコンピュータとしてのハードウエアを備えており、ＨＤＤには、ＯＳ（Operating System）、アプリケーションプログラム、各種データ等が格納されている。ＯＳおよびアプリケーションプログラムは、ＲＡＭに展開され、ＣＰＵによって実行される。図２において制御装置１００の内部は、ＲＡＭに展開されたアプリケーションプログラム等によって実現される機能を、ブロックとして示している。
【００１２】
制御装置１００は、電子黒板制御部１２０と、地理情報処理部１４０とを有している。電子黒板制御部１２０は、電子黒板制御用のアプリケーションプログラム等によって実現され、地理情報処理部１４０は、地理情報処理用のアプリケーションプログラム等によって実現される。
【００１３】
電子黒板制御部１２０の内部において、通信部（描画データ入力部）１２１は、電子黒板装置２００の通信部２１３から電子ペン２０３の位置情報を受信し、該位置情報を描画データ記憶部（描画データ記憶部，描画データ記憶手段）１２３に供給する。描画データ記憶部１２３は、供給された位置情報の軌跡を「描画データＤ２」として記憶する。ここで、描画データＤ２は、一または複数の「描画データ要素」を有する。描画データ要素とは、軌跡が連続する位置情報の集合である。例えば、ユーザが電子ペン２０３を用いて、スクリーン２０１に「○×」という文字列を描いたとすると、「○」の部分および「×」の部分の位置情報の集合が、それぞれ描画データ要素になる。
【００１４】
背景画像データ記憶部（画像データ記憶部，画像データ記憶手段）１２４は、背景画像データを記憶する。背景画像データは、例えば地図あるいは航空写真の画像データである。表示制御部（画像合成部，画像合成手段）１２２は、描画データＤ２が優先されるように描画データＤ２と背景画像データを合成（スーパーインポーズ）し、合成した結果である地図画像データＤ１をディスプレイ１０２およびプロジェクタ２０２に供給する。図１に示した例において、ディスプレイ１０２およびスクリーン２０１に表示されている画像のうち、日本列島およびその周辺の画像は、背景画像データに基づくものである。また、図形１０７，２０７の部分は、描画データＤ２に基づくものである。
【００１５】
背景画像データ記憶部１２４に記憶される背景画像データは、ＪＰＥＧ、ＴＩＦＦ形式等のファイルとして保存される。これらのファイル形式においては、ＥＸＩＦ（Exchangeable image file format）データと呼ばれる文字データを含ませることができる。本実施形態においては、ＥＸＩＦデータとして、背景画像データに地理情報Ｄ６を含ませる場合がある。なお、「地理情報Ｄ６」とは、背景画像データの図法、縮尺比、緯度、経度等を含む情報であるが、その詳細については後述する。以下、背景画像データのうち、地理情報Ｄ６を含まないデータを「単純背景画像データ（単純画像データ）Ｄ３」と呼び、地理情報Ｄ６を含むデータを「地理情報付背景画像データ（地理情報付画像データ）Ｄ７」と呼ぶ。また、両者を総称して「背景画像データＤ３，Ｄ７」と呼ぶことがある。
【００１６】
また、地理情報処理部１４０の内部において、地理情報記憶部１４６は、上述した地理情報Ｄ６を記憶する。地理情報埋込処理部１４３は、単純背景画像データＤ３に対し、ＥＸＩＦデータとして地理情報Ｄ６を埋め込み、地理情報付背景画像データＤ７を生成する。地理情報付背景画像データ記憶部１４１は、生成された地理情報付背景画像データＤ７を記憶する。
【００１７】
地図図形データ化処理部１４４は、地理情報Ｄ６に基づいて、描画データＤ２を地図図形データＤ５にアフィン変換する。ここで、地図図形データＤ５とは、「地表の上に想定した図形の形状を示すデータであって、当該図形の各部が、地表上の位置（例えば緯度、経度）に対応するデータ」を指す。描画データＤ２の各ピクセル（画素）は、スクリーン２０１上の表示位置を有するが、地理情報Ｄ６によって、該表示位置を、地表上の位置に対応付けることができる。従って、スクリーン２０１上における描画データＤ２の表示位置を、地表上の位置に変換することにより、描画データＤ２を地図図形データＤ５にアフィン変換することができる。
【００１８】
上述したように、描画データＤ２は、一または複数の描画データ要素を有している。この描画データＤ２に基づいて得られた地図図形データＤ５も、各描画データ要素に対応する、一または複数の地図図形データ要素を有している。地図図形データ記憶部（地図図形データ記憶手段）１４２は、生成された地図図形データＤ５を記憶する。また、描画データ化処理部１４５は、地図図形データ記憶部１４２から地図図形データＤ５を読み出し、地理情報Ｄ６に基づいて、地図図形データＤ５を描画データＤ２にアフィン変換する。
【００１９】
［データ構成］
次に、図３を参照し、地理情報Ｄ６の詳細について説明する。なお、図３は、スクリーン２０１における画像の表示例を示す図である。
図３において、スクリーン２０１のうち、実際に地図画像データＤ１が表示されている領域を地図画像表示領域（平面画像）２３０という。スクリーン２０１の左上隅点２２１を基準点とし、地図画像表示領域２３０の左上隅点２３１のピクセル（画素）単位のＸ座標，Ｙ座標を、それぞれＸ座標値ＤＸ，Ｙ座標値ＤＹという。両者の単位は、何れも「ピクセル」になる。また、地図画像表示領域２３０の高さをＤＨ、幅をＤＬという。これらの単位も「ピクセル」になる。
【００２０】
また、地図画像表示領域２３０の中心点２３５における緯度をＬＴ（所定箇所位置情報）とし、経度をＬＧ（所定箇所位置情報）とする。また、地図画像表示領域２３０の高さ方向に対して経線のなす角度をθとする。また、地図画像表示領域２３０の縮尺比をＳＲとし、地図画像表示領域２３０の投影法を投影法コードＰＪ（図法情報）によって表す。なお、投影法コードＰＪの詳細は後述するが、本明細書において「投影法」とは、３次元の立体を２次元の平面上に表現する方法をいう。また、縮尺比ＳＲは、地図画像データＤ１を所定の解像度（例えば４０ドット／インチ）で表示した場合における、縮尺比である。以上述べたパラメータＤＸ，ＤＹ，ＤＨ，ＤＬ，ＬＴ，ＬＧ，θ，ＳＲ，ＰＪを総称したものが、上述した地理情報Ｄ６である。
【００２１】
次に、図４は、投影法コードＰＪのうち、いくつかの例を示す図である。
投影法コードＰＪは、例えば「００１」、「００２」等の数値である。図４に示すように、ＰＪ＝００１はランベルト図法、ＰＪ＝００２はメルカトル図法、ＰＪ＝００３は正距方位図法、ＰＪ＝００４は正距円筒図法をそれぞれ指定する。
【００２２】
［実施形態の動作］
＜地理情報埋込処理＞
次に、本実施形態の動作を説明する。
まず、図５を参照し、単純背景画像データＤ３を地理情報付背景画像データＤ７に変換する地理情報埋込処理の内容を説明する。なお、図５は、制御装置１００にて実行される地理情報埋込処理ルーチンのフローチャートである。
【００２３】
図５において処理がステップＳ１０に進むと、地理情報処理部１４０が起動中であるか否か（例えば、地理情報処理用のアプリケーションプログラムが起動中であるか否か）が判定される。ここで「Ｙｅｓ」と判定されると、処理はステップＳ１２に進む。ここでは、地理情報埋込処理部１４３は、表示中の単純背景画像データＤ３を描画データ記憶部１２３から取得する。次に、処理がステップＳ１４に進むと、地理情報埋込処理部１４３は、地理情報記憶部１４６から地理情報Ｄ６を取得する。
【００２４】
次に、処理がステップＳ１６に進むと、地理情報埋込処理部１４３は、単純背景画像データＤ３に対して、地理情報Ｄ６をＥＸＩＦデータとして埋め込むことによって地理情報付背景画像データＤ７を生成し、地理情報付背景画像データ記憶部１４１に記憶させる。以上により、本ルーチンの処理は終了する。なお、地理情報処理部１４０が起動されていなかった場合には、ステップＳ１０において「Ｎｏ」と判定され、そのまま処理が終了する。
【００２５】
＜地図図形データ作成処理＞
次に、図６を参照し、描画データＤ２を地図図形データＤ５にアフィン変換する、地図図形データ作成処理の内容を説明する。なお、図６は、制御装置１００にて実行される地図図形データ作成処理ルーチンのフローチャートである。
【００２６】
図６において処理がステップＳ２０に進むと、地図図形データ化処理部１４４は、背景画像データ記憶部１２４に記憶されている背景画像データにＥＸＩＦデータとして地理情報Ｄ６が埋め込まれているか否かを判定する。すなわち、当該背景画像データが地理情報付背景画像データＤ７であるか否かを判定する。ここで「Ｙｅｓ」と判定されると、処理はステップＳ２２に進み、地図図形データ化処理部１４４は、背景画像データ記憶部１２４内の地理情報付背景画像データＤ７から地理情報Ｄ６を抽出し、地理情報記憶部１４６に格納する。
【００２７】
次に、処理がステップＳ２４に進むと、描画データＤ２に含まれる描画データ要素毎に、ステップＳ２６，Ｓ２８の処理が繰り返される。まず、ステップＳ２６において、地図図形データ化処理部１４４は、地理情報Ｄ６に基づいて、対象となる一の描画データ要素を、地図図形データ要素にアフィン変換する。次に、処理がステップＳ２８に進むと、地図図形データ化処理部１４４は、アフィン変換によって得られた地図図形データ要素を地図図形データ記憶部１４２に書き込む。
【００２８】
このようにして、ステップＳ２６，Ｓ２８の処理が全ての描画データ要素に対して実行されると、これら描画データ要素にそれぞれ対応する地図図形データ要素が地図図形データ記憶部１４２に書き込まれ、地図図形データ記憶部１４２にて地図図形データＤ５が完成する。以上により、本ルーチンの処理は終了する。なお、背景画像データ記憶部１２４に記憶されている背景画像データに地理情報Ｄ６が埋め込まれていなかった場合（すなわち背景画像データが単純背景画像データＤ３であった場合）には、ステップＳ２０において「Ｎｏ」と判定され、そのまま処理が終了する。
【００２９】
＜描画データ作成処理＞
次に、図７を参照し、地図図形データＤ５を描画データＤ２にアフィン変換する、描画データ作成処理の内容を説明する。なお、図７は、制御装置１００にて実行される描画データ作成処理ルーチンのフローチャートである。
【００３０】
図７において、ステップＳ４０，Ｓ４２においては、描画データ化処理部１４５によって、地図図形データ作成処理ルーチン（図６）のステップＳ３０，Ｓ３２と同様の処理が実行される。すなわち、ステップＳ４０において、描画データ化処理部１４５は、背景画像データ記憶部１２４に記憶されている背景画像データにＥＸＩＦデータとして地理情報Ｄ６が埋め込まれているか否かを判定する。ここで「Ｙｅｓ」と判定されると、処理はステップＳ４２に進み、描画データ化処理部１４５は、地理情報付背景画像データＤ７から地理情報Ｄ６を抽出し、地理情報記憶部１４６に格納する。
【００３１】
次に、処理がステップＳ４４に進むと、地図図形データＤ５に含まれる地図図形データ要素毎に、ステップＳ４６，Ｓ４８の処理が繰り返される。まず、ステップＳ４６において、描画データ化処理部１４５は、地理情報Ｄ６に基づいて、対象となる一の地図図形データ要素を、描画データ要素にアフィン変換する。次に、処理がステップＳ４８に進むと、描画データ化処理部１４５は、アフィン変換によって得られた描画データ要素を描画データ記憶部１２３に書き込む。
【００３２】
このようにして、ステップＳ４６，Ｓ４８の処理が全ての地図図形データ要素に対して実行されると、これら地図図形データ要素にそれぞれ対応する描画データ要素が描画データ記憶部１２３に書き込まれ、描画データ記憶部１２３にて描画データＤ２が完成する。以上により、本ルーチンの処理は終了する。なお、背景画像データ記憶部１２４に記憶されている背景画像データに地理情報Ｄ６が埋め込まれていなかった場合には、ステップＳ４０において「Ｎｏ」と判定され、そのまま処理が終了する。
【００３３】
＜全体動作の具体例＞
次に、本実施形態による全体動作の具体例を説明する。
メルカトル図法（図４参照，ＰＪ＝００２）で描かれた、ある地域の地図の画像データが単純背景画像データＤ３として背景画像データ記憶部１２４に格納されていたとする。ユーザが、この地図に対応する地理情報Ｄ６を作成して地理情報記憶部１４６に記憶させ、しかる後に上述した地理情報埋込処理ルーチン（図５）を起動すると、該単純背景画像データＤ３に対応し、かつ、地理情報Ｄ６が埋め込まれた、メルカトル図法の地理情報付背景画像データＤ７が地理情報付背景画像データ記憶部１４１に格納される。
【００３４】
次に、作成された地理情報付背景画像データＤ７を、再び背景画像データ記憶部１２４に記憶させると、該地理情報付背景画像データＤ７に基づく画像（メルカトル図法の地図）がディスプレイ１０２に表示されるとともに、プロジェクタ２０２を介してスクリーン２０１に投影される。
【００３５】
ここで、ユーザが、電子ペン２０３を把持し、各種交通ルート、境界線等の図形をスクリーン２０１上で描くと、電子ペン２０３の位置情報の軌跡が描画データＤ２として、描画データ記憶部１２３に記憶される。そして、当該描画データＤ２は、地理情報付背景画像データＤ７（メルカトル図法の地図）に重畳して、ディスプレイ１０２およびスクリーン２０１に表示される。ここで、上述した地図図形データ作成処理ルーチン（図６）を起動すると、地図図形データ化処理部１４４によって、描画データＤ２が地図図形データＤ５にアフィン変換され、地図図形データ記憶部１４２に格納される。
【００３６】
次に、正距方位図法（図４参照，ＰＪ＝００３）で描かれた、上述した地域を含む地図の画像データが、単純背景画像データＤ３として背景画像データ記憶部１２４に格納されていたとする。ユーザが、この地図に対応する地理情報Ｄ６を作成して地理情報記憶部１４６に記憶させ、しかる後に上述した地理情報埋込処理ルーチン（図５）を起動すると、該単純背景画像データＤ３に対応し、かつ、地理情報Ｄ６が埋め込まれた正距方位図法の地理情報付背景画像データＤ７が地理情報付背景画像データ記憶部１４１に格納される。
【００３７】
次に、作成された正距方位図法の地理情報付背景画像データＤ７を、再び背景画像データ記憶部１２４に記憶させると、該地理情報付背景画像データＤ７に基づく画像（正距方位図法の地図）がディスプレイ１０２に表示されるとともに、プロジェクタ２０２を介してスクリーン２０１に投影される。
【００３８】
ここで、上述した描画データ作成処理ルーチン（図７）を起動すると、描画データ化処理部１４５によって、地図図形データ記憶部１４２に記憶されている地図図形データＤ５が、地理情報Ｄ６（正距方位図法）に対応する描画データＤ２にアフィン変換され、描画データ記憶部１２３に記憶される。そして、当該描画データＤ２は、地理情報付背景画像データＤ７（正距方位図法の地図）に重畳して、ディスプレイ１０２およびスクリーン２０１に表示される。
【００３９】
このように、本実施形態によれば、地図図形データＤ５は、地理情報付背景画像データＤ７に埋め込まれた地理情報Ｄ６に対応して描画データＤ２にアフィン変換される。これにより、様々な投影法コードＰＪ、縮尺比ＳＲ、角度θ等に対応して、ディスプレイ１０２、スクリーン２０１上に各種交通ルート、境界線等の図形を正確な形状で、正確な位置に表示することができる。
【００４０】
［構成・効果の総括］
以上のように、本実施形態の地図表示システムＡは、平面画像（２３０）の内容と、前記平面画像（２３０）の各部と地表上の位置との対応関係を規定する地理情報（Ｄ６）と、を含む地理情報付画像データ（Ｄ７）を記憶する画像データ記憶部（１２４）と、各部が地表上の位置に対応する図形を表す地図図形データ（Ｄ５）を記憶する地図図形データ記憶部（１４２）と、図形を指定する描画データ（Ｄ２）を記憶する描画データ記憶部（１２３）と、前記地理情報付画像データ（Ｄ７）と前記描画データ（Ｄ２）とを合成する画像合成部（１２２）と、前記地理情報（Ｄ６）に基づいて、前記地図図形データ（Ｄ５）を前記描画データ（Ｄ２）に変換する描画データ化処理部（１４５）と、前記表示用画像データ（Ｄ１）を表示面（２０１）に表示する表示装置（２０２）と、前記表示面（２０１）に対するユーザの操作に基づいて、前記描画データ（Ｄ２）を前記描画データ記憶手段（１２３）に記憶させる描画データ入力部（１２１）と、を有することを特徴とする。
これにより、地理情報（Ｄ６）に基づいて地図図形データ（Ｄ５）を描画データ（Ｄ２）に変換することができ、地図図形データ（Ｄ５）を適切に変形させることができる。
【００４１】
さらに、地図表示システムＡは、前記地理情報（Ｄ６）に基づいて、前記描画データ（Ｄ２）を前記地図図形データ（Ｄ５）に変換する地図図形データ化処理部（１４４）をさらに有することを特徴とする。
これにより、地理情報（Ｄ６）に基づいて描画データ（Ｄ２）を地図図形データ（Ｄ５）に変換することができ、描画データ（Ｄ２）を適切に変形することができる。
【００４２】
さらに、前記地理情報（Ｄ６）は、前記平面画像（２３０）の所定箇所（中心点２３５）と地表上の位置との対応関係を規定する所定箇所位置情報（ＬＴ，ＬＧ）と、前記平面画像（２３０）の縮尺比（ＳＲ）と、を有することを特徴とする。
これにより、平面画像（２３０）の各部の位置を正確に特定することができる。
【００４３】
さらに、前記地理情報（Ｄ６）は、前記平面画像（２３０）の図法を表す図法情報（投影法コードＰＪ）をさらに有することを特徴とする。
これにより、各種図法に応じて、描画データ（Ｄ２）、地図図形データ（Ｄ５）を適切に変換することができる。
【００４４】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、例えば以下のようなものである。
【００４５】
（１）上記実施形態において、地図画像データＤ１、描画データＤ２、地図図形データＤ５および地理情報付背景画像データＤ７は、各種画像または図形を表すために複数の画素を有する、いわゆるラスタ形式のデータであった。しかし、これらのデータは、画素を有しないベクトル形式のデータにしてもよい。
【００４６】
（２）上記実施形態において、地理情報付背景画像データＤ７は、一のファイル内に平面画像の内容と、地理情報Ｄ６とを有するものであったが、平面画像の内容と、地理情報Ｄ６と別ファイルにしてもよい。
【００４７】
（３）上記実施形態においては、スクリーン２０１上の位置を指定するために電子ペン２０３を使用したが、ユーザの指の位置によってスクリーン２０１上の位置を指定してもよく、電子ペン２０３に代えて他のポインティングデバイスを適用してもよい。
【００４８】
（４）上記実施形態における制御装置１００は、一般的なコンピュータによって実現できるため、図５〜図７のフローチャートに示したプログラムを記憶媒体に格納し、または伝送路を介して頒布してもよい。
【００４９】
（５）図５〜図７のフローチャートに示した処理は、上記実施形態ではプログラムを用いたソフトウエア的な処理として説明したが、その一部または全部をＡＳＩＣ(Application Specific Integrated Circuit；特定用途向けＩＣ)、あるいはＦＰＧＡ(field-programmable gate array)等を用いたハードウエア的な処理に置き換えてもよい。
【符号の説明】
【００５０】
１００  制御装置（図形データ処理装置）
１２０  電子黒板制御部
１２１  通信部（描画データ入力部）
１２２  表示制御部（画像合成部，画像合成手段）
１２３  描画データ記憶部（描画データ記憶部，描画データ記憶手段）
１２４  背景画像データ記憶部（画像データ記憶部，画像データ記憶手段）
１４０  地理情報処理部
１４１  地理情報付背景画像データ記憶部
１４２  地図図形データ記憶部（地図図形データ記憶手段）
２００  電子黒板装置
２０１  スクリーン（表示面）
２０２  プロジェクタ（表示装置）
２０３  電子ペン
２３０  地図画像表示領域（平面画像）
２３５  中心点
Ａ  地図表示システム（図形データ表示装置）
Ｄ１  地図画像データ（表示用画像データ）
Ｄ２  描画データ
Ｄ３  単純背景画像データ（単純画像データ）
Ｄ５  地図図形データ
Ｄ６  地理情報
Ｄ７  地理情報付背景画像データ（地理情報付画像データ）
ＬＧ  経度（所定箇所位置情報）
ＬＴ  緯度（所定箇所位置情報）
ＰＪ  投影法コード（図法情報）
ＳＲ  縮尺比
【図１】
2017125990.tif 000003
【図２】
2017125990.tif 000004
【図３】
2017125990.tif 000005
【図４】
2017125990.tif 000006
【図５】
2017125990.tif 000007
【図６】
2017125990.tif 000008
【図７】
2017125990.tif 000009